(57)【要約】【課題】水処理成分の添加量を容易に調節することのできる棒状浄水器を得る。【解決手段】水処理剤３１を有する水処理部３と、当該水処理部３を一端開口２ａから出没可能に収納する把持部２と、当該把持部２の一端開口２ａから水処理部３を突出量調整自在に突出させる操作部４と、を備え、操作部４を操作することで把持部２の一端開口２ａから突出する水処理部３の突出量を調整できるようにした。【選択図】図２
2011036751.tif 000002
【特許請求の範囲】
【請求項１】
水処理剤を有する水処理部と、当該水処理部を一端開口から出没可能に収納する把持部と、当該把持部の一端開口から前記水処理部を突出量調整自在に突出させる操作部と、を備えることを特徴とする棒状浄水器。
【請求項２】
前記水処理部は、通水用開口が形成され、内部に前記水処理剤を装填する収納容器を備えていることを特徴とする請求項１に記載の棒状浄水器。
【請求項３】
前記水処理部は、固形状に形成した前記水処理剤自体で形成されていることを特徴とする請求項１に記載の棒状浄水器。
【請求項４】
前記操作部は、前記把持部の他端側内部に配置され、一端部が前記水処理部に連結されるとともに、他端部にスライド部材が設けられた作動ロッドと、前記把持部の側壁に形成され、前記スライド部材をスライドさせるスリットと、を備えることを特徴とする請求項１〜３のうちいずれか１項に記載の棒状浄水器。
【請求項５】
前記操作部は、前記把持部の内部に配置され、一端部が前記把持部の他端を閉塞した他端閉止部を回転自在に貫通し、貫通した突出端部に回転つまみが設けられた雄ねじ棒と、前記水処理部に形成され、前記雄ねじ棒を螺合する雌ねじ孔と、前記水処理部と前記把持部との間に設けられ、当該水処理部の回転を阻止する回転阻止部と、を備えることを特徴とする請求項１〜３のうちいずれか１項に記載の棒状浄水器。
【請求項６】
前記操作部は、前記水処理部の出没方向への移動が阻止された状態で前記把持部に回転自在に配置され、内周に雌ねじ部が形成された操作リングと、前記水処理部の外周に形成され、前記操作リングの雌ねじ部に螺合する雄ねじ部と、前記水処理部と前記把持部との間に設けられ、当該水処理部の回転を阻止する回転阻止部と、を備えることを特徴とする請求項１〜３のうちいずれか１項に記載の棒状浄水器。
【請求項７】
前記把持部に、前記水処理部が当該把持部に収納された状態で前記一端開口を閉止する閉塞部材が設けられていることを特徴とする請求項１〜６のうちいずれか１項に記載の棒状浄水器。
【発明の詳細な説明】
【技術分野】
【０００１】
本発明は、棒状浄水器に関する。
【背景技術】
【０００２】
従来、棒状浄水器として、中空状の筒体として形成された格子状の薬剤収納筒と当該薬剤収納筒に連接された把持部とを備え、薬剤収納筒に水処理剤を収納し、薬剤収納筒を水中に挿入して掻き混ぜることで、水処理成分、たとえば、カルシウムやマグネシウムなどのミネラル成分を水中に溶出させて活水化させるようにしたものが知られている（たとえば、特許文献１参照）。
【先行技術文献】
【特許文献】
【０００３】
【特許文献１】実開平５−３３８９１号公報
【発明の概要】
【発明が解決しようとする課題】
【０００４】
しかしながら、かかる従来の棒状浄水器にあっては、薬剤収納筒を水中に挿入し、薬剤収納筒に収納した水処理剤を全体的に水中に浸漬させた状態で使用しており、この棒状浄水器を複数回使用する場合、水処理剤の水との接触面積が使用の度に異なってしまうため、水処理成分の添加量を調節するのが難しかった。
【０００５】
そこで、本発明は、水処理成分の添加量を容易に調節することのできる棒状浄水器を得ることを目的とする。
【課題を解決するための手段】
【０００６】
請求項１の発明にあっては、水処理剤を有する水処理部と、当該水処理部を一端開口から出没可能に収納する把持部と、当該把持部の一端開口から前記水処理部を突出量調整自在に突出させる操作部と、を備えることを特徴とする。
【０００７】
請求項２の発明にあっては、請求項１に記載の棒状浄水器において、前記水処理部は、通水用開口が形成され、内部に前記水処理剤を装填する収納容器を備えていることを特徴とする。
【０００８】
請求項３の発明にあっては、請求項１に記載の棒状浄水器において、前記水処理部は、固形状に形成した前記水処理剤自体で形成されていることを特徴とする。
【０００９】
請求項４の発明にあっては、請求項１〜３のうちいずれか１項に記載の棒状浄水器において、前記操作部は、前記把持部の他端側内部に配置され、一端部が前記水処理部に連結されるとともに、他端部にスライド部材が設けられた作動ロッドと、前記把持部の側壁に形成され、前記スライド部材をスライドさせるスリットと、を備えることを特徴とする。
【００１０】
請求項５の発明にあっては、請求項１〜３のうちいずれか１項に記載の棒状浄水器において、前記操作部は、前記把持部の内部に配置され、一端部が前記把持部の他端を閉塞した他端閉止部を回転自在に貫通し、貫通した突出端部に回転つまみが設けられた雄ねじ棒と、前記水処理部に形成され、前記雄ねじ棒を螺合する雌ねじ孔と、前記水処理部と前記把持部との間に設けられ、当該水処理部の回転を阻止する回転阻止部と、を備えることを特徴とする。
【００１１】
請求項６の発明にあっては、請求項１〜３のうちいずれか１項に記載の棒状浄水器において、前記操作部は、前記水処理部の出没方向への移動が阻止された状態で前記把持部に回転自在に配置され、内周に雌ねじ部が形成された操作リングと、前記水処理部の外周に形成され、前記操作リングの雌ねじ部に螺合する雄ねじ部と、前記水処理部と前記把持部との間に設けられ、当該水処理部の回転を阻止する回転阻止部と、を備えることを特徴とする。
【００１２】
請求項７の発明にあっては、請求項１〜６のうちいずれか１項に記載の棒状浄水器において、前記把持部に、前記水処理部が当該把持部に収納された状態で前記一端開口を閉止する閉塞部材が設けられていることを特徴とする。
【発明の効果】
【００１３】
請求項１の発明によれば、操作部を操作することで把持部の一端開口から突出する水処理部の突出量を調整できるようにしたため、把持部から水処理部の一部を突出させた状態で棒状浄水器を水中に挿入して掻き混ぜることにより、突出させた水処理部に含まれる水処理成分を水中に溶出させて活水化することができるようになる。したがって、所望量の水処理成分が水中に浸漬するように水処理部の突出量を調整することで、水処理成分の添加量を容易に調節することができる。
【００１４】
請求項２の発明によれば、収納容器に水処理剤を装填できるようにしたため、水処理剤が固形、粒状もしくは顆粒状などのいかなる形態であっても使用可能となる。
【００１５】
請求項３の発明によれば、水処理剤を固形状に形成し、その水処理剤自体で水処理部を形成したため、水処理部の構造を簡素化して安価な製品を提供することができる。
【００１６】
請求項４の発明によれば、把持部の側壁に形成したスリットから摺動自在に突出したスライド部材を、スリットに沿って移動させることにより作動ロッドが移動し、その作動ロッドの一端部に連結した水処理部を移動させることができる。すなわち、スライド部材を移動させるという簡単な操作で、水処理部を把持部から出没させることができ、操作部の構造の簡素化および操作性の簡単化を図ることができる。
【００１７】
請求項５の発明によれば、回転つまみを回転させることにより雄ねじ棒が回転し、その雄ねじ棒に螺合した雌ねじ孔を介して水処理部を移動させることができる。すなわち、回転つまみを回転させるという簡単な操作で、水処理部を把持部から出没させることができ、操作部の構造の簡素化および操作性の簡単化を図ることができる。
【００１８】
請求項６の発明によれば、操作リングを回転させることにより、その操作リングの雌ねじ部に雄ねじ部を介して螺合した水処理部を移動させることができる。すなわち、操作リングを回転させるという簡単な操作で、水処理部を把持部から出没させることができ、操作部の構造の簡素化および操作性の簡単化を図ることができる。
【００１９】
請求項７の発明によれば、把持部の一端開口を閉塞部材によって開閉自在に閉止できるようにしたため、把持部内にゴミや塵が進入するのを抑制することができ、水処理部を清潔に保つことができる。
【図面の簡単な説明】
【００２０】
【図１】図１は、本発明の第１実施形態にかかる棒状浄水器の非使用状態を示す断面図である。
【図２】図２は、本発明の第１実施形態にかかる棒状浄水器の使用状態を示す断面図である。
【図３】図３は、本発明の第２実施形態にかかる棒状浄水器の非使用状態を示す断面図である。
【図４】図４は、本発明の第２実施形態にかかる棒状浄水器の使用状態を示す断面図である。
【図５】図５は、本発明の第２実施形態の変形例にかかる棒状浄水器の非使用状態を示す断面図である。
【図６】図６は、本発明の第３実施形態にかかる棒状浄水器の非使用状態を示す断面図である。
【図７】図７は、本発明の第３実施形態にかかる棒状浄水器の使用状態を示す断面図である。
【図８】図８は、本発明の第４実施形態にかかる棒状浄水器の一端開口を閉塞部材で閉止した断面図である。
【図９】図９は、本発明の第４実施形態の変形例にかかる棒状浄水器の一端開口を閉塞部材で閉止した断面図である。
【図１０】図１０は、本発明の第４実施形態の変形例にかかる棒状浄水器の一端開口を開放した断面図である。
【図１１】図１１は、本発明の第５実施形態にかかる棒状浄水器の非使用状態を示す断面図である。
【図１２】図１２は、本発明の第５実施形態にかかる棒状浄水器の非使用状態を示す斜視図である。
【図１３】図１３は、本発明の第６実施形態にかかる棒状浄水器の使用状態を示す斜視図である。
【図１４】図１４は、本発明の第６実施形態の変形例にかかる棒状浄水器の使用状態を示す斜視図である。
【図１５】図１５は、本発明のその他の変形例にかかる棒状浄水器の非使用状態を示す斜視図である。
【発明を実施するための形態】
【００２１】
以下、本発明の実施形態について図面を参照しながら詳細に説明する。なお、以下の複数の実施形態には、同様の構成要素が含まれている。よって、以下では、それら同様の構成要素には共通の符号を付与するとともに、重複する説明を省略する。
【００２２】
（第１実施形態）
本実施形態にかかる棒状浄水器１は、図１に示すように、把持部となる筒状把持部２内に収納した水処理部３を、図２に示すように、筒状把持部２の一端開口２ａから適宜量突出させて使用する構造となっている。ここで、棒状浄水器１の使用とは、筒状把持部２を把持して、一端開口２ａから突出させた水処理部３を水中に挿入して掻き混ぜることであり、この掻き混ぜによって水処理部３のミネラルなどの水処理成分が水に溶出して活水化できるようになっている。また、棒状浄水器１には、筒状把持部２の一端開口２ａから水処理部３を突出させる操作部４が設けられており、この操作部４は、水処理部３の突出量を調整できるようになっている。
【００２３】
筒状把持部２は、他端（図１中上端）が他端閉止部２ｂによって閉止される細長い有底筒状に形成されており、その筒状把持部２内に水処理部３が一端開口２ａから出没自在にほぼ密接して収納されている。
【００２４】
水処理部３は、水処理成分を含有した水処理剤３１を有しており、この水処理剤３１を水に接触させることで水処理成分が水に溶出される。この水処理剤３１としては、カルシウムやマグネシウムなどの身体に有益なミネラル成分を含む、たとえば硫酸カルシウムや硫酸マグネシウムを用いることができる。なお、カルシウムやマグネシウム以外のミネラル成分、たとえばナトリウムなどを用いることも可能である。
【００２５】
また、本実施形態にかかる水処理部３は、外側に通水用開口３２ａが形成され、内部に水処理剤３１を装填する収納容器３２を備えている。本実施形態では、収納容器３２はメッシュで形成されており、このメッシュの網目が上述した通水用開口３２ａとなっている。このように、収納容器３２をメッシュで形成することで、通水用開口３２ａの面積を広く確保できるようにするとともに、内部の水処理剤３１の減り具合を網目を通して外側から容易に確認できるようにしている。本実施形態では、この収納容器３２内に粒状の水処理剤３１を装填している。
【００２６】
操作部４は、筒状把持部２の他端側内部２ｃ、つまり、他端閉止部２ｂ側の内部に筒軸方向（水処理部３の出没方向）の移動が自在となるように配置されている。本実施形態では、操作部４は、一端部４１ａが水処理部３に連結されるとともに、他端部４１ｂに昇降つまみ（スライド部材）４２が設けられた作動ロッド４１と、筒状把持部２の側壁２１の筒軸方向に形成され、昇降つまみ４２をスライド自在に突出させるスリット４３と、を備えている。ここで、筒軸方向とは、筒状把持部２の中心軸方向であり、図１中上下方向となる。スリット４３は、水処理部３を筒状把持部２に収納した状態から完全に突出させる行程の長さにほぼ等しい長さをもって形成されている。
【００２７】
本実施形態にかかる棒状浄水器１は、非使用状態では、図１に示すように、水処理部３が筒状把持部２内に完全に収納された状態となっている。そして、棒状浄水器１を使用する際には、図２に示すように、昇降つまみ４２を適宜量一端開口２ａ方向に押し下げることにより、水処理部３を筒状把持部２の一端開口２ａから必要量突出させる。この状態で、筒状把持部２を把持して突出させた水処理部３を水中に挿入して掻き混ぜることで、突出させた水処理部３に含まれる水処理成分を水中に溶出させる。そして、使用後は、昇降つまみ４２を最上方に押し上げることにより、図１に示すように、水処理部３を筒状把持部２内に収納した状態に戻す。そして、棒状浄水器１を再度使用する際には、上述の操作を繰り返すことになる。
【００２８】
なお、本実施形態では、収納容器３２内に粒状の水処理剤３１を装填しているため、水処理剤３１の装填量が少なくならない限り、水処理部３の筒状把持部２の一端開口２ａからの突出量を一定にすれば、突出部位に存在する水処理剤３１の容積を一定とすることができる。すなわち、複数回使用する際に、使用する度に水処理部３を同じ量だけ突出させれば、水処理剤３１の水との接触面積をほぼ一定にすることができるため、水処理成分の水への溶出速度をほぼ一定に保つことができ、水処理成分の添加量を容易に調節することができる。
【００２９】
以上の本実施形態によれば、操作部４を操作することで筒状把持部（把持部）２の一端開口２ａから突出する水処理部３の突出量を調整できるようにしたため、把持部４から水処理部３の一部を突出させた状態で棒状浄水器１を水中に挿入して掻き混ぜることにより、突出させた水処理部３に含まれる水処理成分を水中に溶出させて活水化することができるようになる。したがって、所望量の水処理成分が水中に浸漬するように水処理部３の突出量を調整するだけで、水処理成分の添加量を容易に調節することができる。
【００３０】
また、水処理部３の突出量を調整できるようにすることで、水処理剤３１を必要量だけ水に曝露させることができるようになるため、棒状浄水器１の長寿命化を図ることが可能となる。
【００３１】
また、本実施形態によれば、収納容器３２に水処理剤３１を装填できるようにしたため、水処理剤が固形、粒状もしくは顆粒状などのいかなる形態であっても使用可能となる。
【００３２】
さらに、本実施形態によれば、筒状把持部２の側壁２１に形成したスリット４３から摺動自在に突出した昇降つまみ（スライド部材）４２をスリット４３に沿って移動させることにより作動ロッド４１が筒軸方向に移動し、その作動ロッド４１の一端部４１ａに連結した水処理部３を筒状把持部２内で移動させることができる。すなわち、昇降つまみ４２を水処理部３が筒状把持部２から突出する方向に適宜移動させることにより、水処理部３が筒状把持部２の一端開口２ａから突出する量を簡単に調節することができる。また、昇降つまみ４２を水処理部３の突出方向とは逆方向に移動させることにより、突出状態にある水処理部３を筒状把持部２内に収納することができる。このように、本実施形態によれば、昇降つまみ４２を移動させるという簡単な操作で、水処理部３を筒状把持部２から出没させることができ、操作部４の構造の簡素化および操作性の簡単化を図ることができる。
【００３３】
ところで、上述した収納容器３２は、筒状把持部２の内側形状にほぼ沿った断面形状となる筒状に形成されるが、この収納容器３２は、筒状把持部２から突出される側の端面に開閉自在に蓋を設け、若しくは筒部を２分割可能にして、収納された水処理剤３１の交換や補充ができるようにするのが好ましい。なお、収納容器３２を作動ロッド４１に着脱可能に取り付けておき、収納容器３２ごと水処理剤３１を交換するようにしてもよい。
【００３４】
また、収納容器３２の内部には、装填した水処理剤３１を下方、つまり筒状把持部２から突出される側の端面側に押し付けておく付勢部材を設けておくことが好ましい。さらに、収納容器３２の表面を水処理用の触媒で被覆しておくことも好ましい手段である。
【００３５】
さらにまた、収納容器３２内の空間を軸方向に複数に分割し、分割した各部屋にそれぞれ水処理剤３１を装填しておき、段階的に各部屋を筒状把持部２から突出させることで、毎回ほぼ同量の水処理成分を溶出させるようにしてもよい。
【００３６】
また、本実施形態では、水処理部３として、水処理剤３１を収納容器３２に装填する構成を例示したが、これに限ることなく、水処理部３を、固形状に形成した水処理剤３１自体で形成することも可能である。このように、水処理剤３１自体で水処理部３を形成することにより、上述した収納容器３２を設ける必要が無くなるため、水処理部３の構造を簡素化して安価な製品を提供することができる。
【００３７】
（第２実施形態）
本実施形態にかかる棒状浄水器１Ａは、図３に示すように、基本的に上記第１実施形態の棒状浄水器１と同様の構成をしており、収納容器２内に出没自在に水処理部３が収納され、操作部４Ａによって水処理部３の突出量を調整できるようにしている。
【００３８】
ここで、本実施形態が上記第１実施形態と主に異なる点は、操作部４Ａが、回転つまみ４４を設けた雄ねじ棒４５と、水処理部３に設けて雄ねじ棒４５を螺合する雌ねじ孔４６と、水処理部３の回転阻止部４７と、を備えていることにある。
【００３９】
具体的には、雄ねじ棒４５は、筒状把持部２の筒軸に沿ってその筒状把持部２の内部のほぼ全長に亘って配置されており、一端部４５ａが筒状把持部２の他端閉止部２ｂを回転自在に貫通し、その貫通した突出端部に回転つまみ４４が設けられている。なお、符号５５は、雄ねじ棒４５が筒状把持部２から抜けてしまうのを防止する抜け止めである。
【００４０】
また、雌ねじ孔４６は、水処理部３の中心軸方向に貫通して形成されており、上述の雄ねじ棒４５が螺合されるようになっている。
【００４１】
さらに、回転阻止部４７は、水処理部３と筒状把持部２との間に設けられており、水処理部３の筒軸方向の摺動を許容しつつ回転を阻止するようになっている。すなわち、本実施形態にかかる回転阻止部４７は、水処理部３の上端部から径方向外方に突出する突部４７ａを、筒状把持部２の側壁２１の内側に筒軸方向に沿って形成した溝部４７ｂに摺動自在に係合させることにより構成されている。
【００４２】
本実施形態では、水処理部３は、筒状把持部２の内部の筒軸方向長さとほぼ等しい長さに形成されており、水処理部３が筒状把持部２内に収納された状態では、水処理部３が筒状把持部２の内部空間全体を占有するようになっている。
【００４３】
また、水処理部３は、上記第１実施形態と同様に、メッシュで形成した収納容器３２の内部に水処理剤３１が装填されるようになっており、収納容器３２に蓋を設けたり２分割可能とすることで水処理剤３１の交換や補充ができるようになっている。なお、収納容器３２ごと水処理剤３１を交換するようにしてもよい。さらに、収納容器３２の表面を水処理用の触媒で被覆しておくことが好ましい。さらにまた、本実施形態にあっても、収納容器３２内の空間を軸方向に複数に分割し、分割した各部屋にそれぞれ水処理剤３１を装填しておくことも可能である。
【００４４】
本実施形態にかかる棒状浄水器１Ａは、非使用状態では、図３に示すように、水処理部３は筒状把持部２内に完全に収納された状態となっている。そして、棒状浄水器１を使用する際には、図４に示すように、回転つまみ４４を一方向（水処理部３を突出させる方向：本実施形態では矢印Ｘ方向）に適宜量回転させる。このとき、雄ねじ棒４５が同方向に回転し、水処理部３の雌ねじ孔４６が雄ねじ棒４５に螺合されていることと、回転阻止部４７によって水処理部３の回転が阻止されていることにより水処理部３が押し下げられて、筒状把持部２の一端開口２ａから必要量突出する。この状態で、筒状把持部２を把持して突出させた水処理部３を水中に挿入して掻き混ぜることで、突出させた水処理部３に含まれる水処理成分を水中に溶出させる。そして、使用後は、回転つまみ４４をＸ方向とは逆方向に回転させることにより、水処理部３が突出時とは逆に動作して持ち上げられ、図３に示すように、水処理部３を筒状把持部２内に収納した状態にすることができる。
【００４５】
以上の本実施形態によっても、上記第１実施形態と同様の作用、効果を奏することができる。
【００４６】
また、本実施形態によれば、操作部４Ａが、回転つまみ４４を設けた雄ねじ棒４５と、水処理部３に設けて雄ねじ棒４５を螺合する雌ねじ孔４６と、水処理部３の回転阻止部４７と、を備えているため、回転つまみ４４を回転させることにより雄ねじ棒４５が回転し、その雄ねじ棒４５に螺合した雌ねじ孔４６を介して水処理部３を筒軸方向に移動させることができる。すなわち、回転つまみ４４を回転させるという簡単な操作で、水処理部３を筒状把持部２から出没させることができ、操作部４Ａの構造の簡素化および操作性の簡単化を図ることができる。
【００４７】
特に、本実施形態にあっては、雄ねじ棒４５に水処理部３の雌ねじ孔４６が螺合する構造となっているので、水処理部３を筒状把持部２の内部空間全体に収納することができるため、水処理部３の容積を増大することができる。このように、収納容器３２を大型化して水処理剤３１の装填量を増すことで、一旦装填した水処理剤３１を長期に亘って使用することが可能となり、水処理剤３１の交換頻度を減少させることができる。
【００４８】
ここで、本実施形態の変形例を説明する。
【００４９】
本変形例にかかる棒状浄水器１Ｂは、図５に示すように、収納容器２内に出没自在に水処理部３Ｂが収納され、操作部４Ｂによって水処理部３Ｂの突出量を調整できるようにしたものである。
【００５０】
水処理部３Ｂは、固形状に形成した水処理剤３１Ｂを基台部５６に固定することで形成されている。
【００５１】
また、操作部４Ｂは、回転つまみ４４を設けた雄ねじ棒４５と、基台部５６に設けられ、雄ねじ棒４５を螺合する雌ねじ孔４６と、水処理部３Ｂの回転阻止部４７と、を備えている。
【００５２】
基台部５６は、円板状の天壁部５６ａに円筒状の側壁部５６ｂを設けた形状をしており、中心には雄ねじ棒４５が挿通可能な挿通孔が形成されている。そして、側壁部５６ｂの内面には、雄ねじ棒４５を螺合する雌ねじ孔４６が形成されている。
【００５３】
水処理剤３１Ｂは、図５に示すように、略円筒状をしており、一端側（図５中上側）を基台部５６の側壁部５６ｂに嵌合させることで基台部５６に固定されている。
【００５４】
そして、回転阻止部４７Ｂは、天壁部５６ａから径方向外方に突出する突部４７ａＢを、筒状把持部２の側壁２１の内側に筒軸方向に沿って形成した溝部４７ｂＢに摺動自在に係合させることにより構成されている。
【００５５】
以上の本変形例によっても上記第２実施形態と同様の作用、効果を奏することができる。
【００５６】
なお、固形化した水処理剤自体に雌ねじ孔を形成するようにし、水処理剤自体で水処理部を形成するようにしてもよい。こうすれば、上述した収納容器３２を設ける必要が無くなるため、水処理部の構造を簡素化して安価な製品を提供することができる。
【００５７】
（第３実施形態）
図６に示すように、本実施形態にかかる棒状浄水器１Ｃは、基本的に上記第１実施形態の棒状浄水器１と同様の構成をしており、収納容器２内に出没自在に水処理部３が収納され、操作部４Ｃによって水処理部３の突出量を調整できるようにしている。
【００５８】
ここで、本実施形態が上記第１実施形態と主に異なる点は、操作部４Ｃが、内周に雌ねじ部４８を形成した操作リング４９と、水処理部３に形成されて操作リング４９の雌ねじ部４８に螺合する雄ねじ部５０と、水処理部３の回転阻止部４７と、を備えていることにある。
【００５９】
具体的には、操作リング４９は、筒状把持部２の一端開口２ａの先端周縁に接触状態で配置されており、保持リング５１を介して筒状把持部２に回転自在かつ筒軸方向の移動を阻止して配置される。
【００６０】
保持リング５１は、筒状把持部２の下端部外周に着脱自在に螺着されるようになっており、保持リング５１の下端部内周に突設した環状凸部５１ａが、操作リング４９の上端部外周に突設した環状凸部４９ａに相対回転自在に係合することにより、操作リング４９は、軸方向への移動が阻止された状態で筒状把持部２に対して回転できるようになっている。
【００６１】
水処理部３の雄ねじ部５０は、筒状把持部３の外周に全長に亘って形成されている。
【００６２】
回転阻止部４７は、上記第２実施形態と同様に、水処理部３の上端部から径方向外方に突出する突部４７ａを、筒状把持部２の側壁２１の内側に筒軸方向に沿って形成した溝部４７ｂに摺動自在に係合させることにより構成されており、水処理部３の筒軸方向の摺動を許容しつつ回転を阻止するようになっている。
【００６３】
本実施形態では、水処理部３は、筒状把持部２の内部の筒軸方向長さに操作リング４９の長さを加えた長さとほぼ等しい長さに形成されており、水処理部３が筒状把持部２内に収納された状態では、水処理部３が筒状把持部２の内部空間全体を占有するとともに、水処理部３の下端部が操作リング４９に螺合した状態となっている。
【００６４】
また、水処理部３は、上記第１実施形態と同様に、メッシュで形成した収納容器３２の内部に水処理剤３１が装填されるようになっており、収納容器３２に蓋を設けたり２分割可能とすることで水処理剤３１の交換や補充ができるようになっている。なお、収納容器３２ごと水処理剤３１を交換するようにしてもよい。さらに、収納容器３２の表面を水処理用の触媒で被覆しておくことが好ましい。さらにまた、本実施形態にあっても、収納容器３２内の空間を軸方向に複数に分割し、分割した各部屋にそれぞれ水処理剤３１を装填しておくことも可能である。
【００６５】
本実施形態にかかる棒状浄水器１Ｃは、非使用状態では、図６に示すように、水処理部３が筒状把持部２内に完全に収納された状態となっている。そして、棒状浄水器１Ｃを使用する際には、図７に示すように、操作リング４９を一方向（水処理部３を突出させる方向）に適宜量回転させる。このとき、雄ねじ部５０が操作リング４９の雌ねじ部４８に螺合されていることと、回転阻止部４７によって回転が阻止されていることにより水処理部３が押し下げられて、筒状把持部２の一端開口２ａから必要量突出する。この状態で、筒状把持部２を把持して突出させた水処理部３を水中に挿入して掻き混ぜることで、突出させた水処理部３に含まれる水処理成分を水中に溶出させる。そして、使用後は、操作リング４９を使用時とは逆方向に回転させることにより、水処理部３が突出時とは逆に動作して持ち上げられ、図６に示すように、水処理部３を筒状把持部２内に収納した状態にすることができる。
【００６６】
以上の本実施形態によっても、上記第１実施形態と同様の作用、効果を奏することができる。
【００６７】
また、本実施形態によれば、操作部４Ｃが、内周に雌ねじ部４８を形成した操作リング４９と、水処理部３に形成されて操作リング４９の雌ねじ部４８に螺合する雄ねじ部５０と、水処理部３の回転阻止部４７と、を備えているため、操作リング４９を回転させることにより、操作リング４９の雌ねじ部４８に螺合した雄ねじ部５０を介して水処理部３を筒軸方向に移動させることができる。すなわち、操作リング４９を回転させるという簡単な操作で、水処理部３を筒状把持部２から出没させることができ、操作部の構造の簡素化および操作性の簡単化を図ることができる。
【００６８】
特に、本実施形態にあっては、操作リング４９に水処理部３の外周が螺合する構造となっているので、上記第２実施形態と同様に、水処理部３を筒状把持部２の内部空間の全体に収納できるとともに、操作リング４９の長さ分、水処理部３の容積をさらに増大することができる。このように、収納容器３２を大型化して水処理剤３１の装填量をさらに増すことで、一旦装填した水処理剤３１を長期に亘って使用することが可能となり、水処理剤３１の交換頻度をより一層減少させることができる。
【００６９】
ところで、本実施形態にあっても、固形化した水処理剤に雄ねじ部を形成し、水処理部を、水処理剤自体で形成することができる。このように、水処理剤自体で水処理部を形成することにより、上述した収納容器３２を設ける必要が無くなるため、水処理部の構造を簡素化して安価な製品を提供することができる。
【００７０】
（第４実施形態）
本実施形態にかかる棒状浄水器１Ｄは、図８に示すように、上記第１実施形態の棒状浄水器１に本実施形態を適用したものであって、水処理部３を筒状把持部２に収納した状態で、筒状把持部２に、一端開口２ａを開閉自在に閉止する閉塞部材としてのキャップ５２を設けるようにしたものである。
【００７１】
本実施形態では、キャップ５２は、筒状把持部２の下端部外周にほぼ密接して着脱自在に嵌着される有底筒状に形成されており、筒状把持部２内に水処理部３が収納された状態で、キャップ５２の上端開口５２ａを筒状把持部２の下端側から嵌合することにより、キャップ５２の下端閉止部５２ｂで筒状把持部２の一端開口２ａを閉塞できるようにしている。
【００７２】
以上の本実施形態によっても、上記第１実施形態と同様の作用、効果を奏することができる。
【００７３】
また、本実施形態によれば、筒状把持部２の一端開口２ａをキャップ５２によって開閉自在に閉止できるため、筒状把持部２に水処理部３を収納した状態で一端開口２ａをキャップ５２で閉止することで、筒状把持部２内にゴミや塵が進入するのを抑制することができ、水に直接接触する水処理部３を清潔に保つことができる。
【００７４】
次に、本実施形態の変形例を説明する。
【００７５】
本変形例にかかる棒状浄水器１Ｅは、閉塞部材としての開閉蓋５３を用いたものである。
【００７６】
開閉蓋５３は、筒状把持部２の一端開口２ａを覆うことができる形状に形成されており、その開閉蓋５３の外周部の一箇所がヒンジ５４を介して一端開口２ａの先端周縁部に開閉自在に取り付けられている。なお、ヒンジ５４には、開閉蓋５３を閉じる方向に付勢する図示せぬスプリングが設けられている。
【００７７】
この棒状浄水器１Ｅは、非使用状態では、図９に示すように、水処理部３が筒状把持部２内に収納された状態で、開閉蓋５３が筒状把持部２の一端開口２ａを閉塞している。そして、棒状浄水器１Ｅを使用する際に、操作部４を水処理部３の突出方向に操作すると、水処理部３の押し出し力で開閉蓋５３をスプリングの付勢力に抗して開動しつつ、水処理部３を一端開口２ａから突出する。
【００７８】
以上の本変形例によっても上記第４実施形態と同様の作用、効果を奏することができる。
【００７９】
ところで、第４実施形態およびその変形例では、上記第１実施形態の棒状浄水器１に閉塞部材（キャップ５２、開閉蓋５３）を設けた場合を例示したが、これに限ることなく第２・第３実施形態の棒状浄水器１Ａ、１Ｂ、１Ｃに本構成を適用することも可能である。
【００８０】
（第５実施形態）
本実施形態にかかる棒状浄水器１Ｆは、図１１に示すように、上記第１実施形態の棒状浄水器１に本実施形態を適用したものであって、筒状把持部２Ｆに、水処理部３の突出量を位置決めする位置決め機構を設けたものである。
【００８１】
本実施形態では、位置決め機構は、作動ロッド４１の他端部４１ｂに設けられた昇降つまみ４２と、筒状把持部２Ｆのスリット４３から周方向の一方側に向けて延びるように設けられた複数の横溝５７とで構成されている。
【００８２】
横溝５７は、一定のピッチ（等間隔）で複数（本実施形態では７つ）配置されている。したがって、昇降つまみ４２をスリット４３に沿わせて移動させ、当該昇降つまみ４２を周方向に回動させていずれかの横溝５７に挿入することで、筒状把持部２Ｆと水処理部３との位置決めがなされ、水処理部３の突出量を複数段階（本実施形態では７段階）に可変設定することができる。
【００８３】
また、本実施形態では、図１２に示すように、筒状把持部２Ｆの外周部にリング状のストッパ５８を設け、スリット４３に沿わせて移動させた昇降つまみ４２のそれ以上の移動を妨げることで、水処理部３が突出しすぎないようにしている。このストッパ５８をゴム等の弾性体で形成すると構成を簡素化でき、容易に製造することができる。
【００８４】
以上の本実施形態によっても、上記第１実施形態と同様の作用、効果を奏することができる。
【００８５】
（第６実施形態）
本実施形態にかかる棒状浄水器１Ｇは、図１３に示すように、上記第５実施形態の棒状浄水器１Ｆに本実施形態を適用したものであって、筒状把持部２Ｇを透明もしくは半透明の樹脂で形成し、筒状把持部２Ｇの内部を視認できるようにしたものである。さらに、本実施形態では、この筒状把持部２Ｇに、水処理部３の突出量や水処理剤の残量を示す目盛５９を設け、水処理剤の使用量や残量を把握しやすくしている。
【００８６】
以上の本実施形態によっても、上記第５実施形態と同様の作用、効果を奏することができる。
【００８７】
なお、図１４に示すように、筒状把持部２Ｈを透明もしくは半透明の樹脂で形成するとともに、水処理部３Ｈの収納容器３２に目盛６０を設けた棒状浄水器１Ｈを用いてもよい。
【００８８】
以上、本発明の好適な実施形態について説明したが、本発明は上記実施形態には限定されず、種々の変形が可能である。
【００８９】
例えば、上記第５および第６実施形態では、昇降つまみを周方向に回動させていずれかの横溝に挿入することで、水処理部の突出量を段階的に調節できるようにした棒状浄水器を例示したが、図１５に示すように、筒状把持部２Ｉのスリット４３に複数の係合溝６１ａからなるラック部６１を設けるとともに、作動ロッド４１に、係合溝６１ａ側に向けて付勢させたラッチ部６２を有するスライダ（スライド部材）４２を設け、スライダ４２を筒軸方向に移動させながらラッチ部６２を係合溝６１ａに係合させて水処理部３の突出量を段階的に調節できるようにした棒状浄水器１Ｉを用いることも可能である。
【符号の説明】
【００９０】
１、１Ａ、１Ｂ、１Ｃ、１Ｄ、１Ｅ、１Ｆ、１Ｇ、１Ｈ、１Ｉ  棒状浄水器
２、２Ｆ、２Ｇ、２Ｈ、２Ｉ  筒状把持部（把持部）
２１  側壁
２ａ  一端開口
２ｂ  他端閉止部
２ｃ  他端側内部
３、３Ｂ、３Ｈ  水処理部
３１、３１Ｂ  水処理剤
３２  収納容器
３２ａ  通水用開口
４、４Ａ、４Ｂ、４Ｃ  操作部
４１  作動ロッド
４１ａ  作動ロッドの一端部
４１ｂ  作動ロッドの他端部
４２  昇降つまみ（スライド部材）
４３  スリット
４４  回転つまみ
４５  雄ねじ棒
４５ａ  雄ねじ棒の一端部
４６  雌ねじ孔
４７  回転阻止部
４８  雌ねじ部
４９  操作リング
５０  雄ねじ部
５２  キャップ（閉塞部材）
５３  開閉蓋（閉塞部材）
【図１】
2011036751.tif 000003
【図２】
2011036751.tif 000004
【図３】
2011036751.tif 000005
【図４】
2011036751.tif 000006
【図５】
2011036751.tif 000007
【図６】
2011036751.tif 000008
【図７】
2011036751.tif 000009
【図８】
2011036751.tif 000010
【図９】
2011036751.tif 000011
【図１０】
2011036751.tif 000012
【図１１】
2011036751.tif 000013
【図１２】
2011036751.tif 000014
【図１３】
2011036751.tif 000015
【図１４】
2011036751.tif 000016
【図１５】
2011036751.tif 000017